(57)【要約】【課題】本発明はデジタル直接伝送システムのためのプリアンブル生成装置及び方法に関する。【解決手段】プリアンブル生成装置は、擬似雑音コードを生成する擬似雑音コード生成部と、前記擬似雑音コード生成部から入力された前記擬似雑音コードに対するラインコーディングを行うラインコーダと、前記ラインコーダから入力されたラインコーディングされた擬似雑音コードに対する拡散コーディングを行う拡散コーダと、を含んで構成される。【選択図】図２
2011061765.tif 000002
【特許請求の範囲】
【請求項１】
擬似雑音コードを生成する擬似雑音コード生成部と、
前記擬似雑音コード生成部から入力された前記擬似雑音コードに対するラインコーディングを行うラインコーダと、
前記ラインコーダから入力されたラインコーディングされた擬似雑音コードに対する拡散コーディングを行う拡散コーダと、を含むことを特徴とするプリアンブル生成装置。
【請求項２】
前記擬似雑音コード生成部は、予め設定された生成多項式に基づいて前記擬似雑音コードを生成することを特徴とする請求項１に記載のプリアンブル生成装置。
【請求項３】
前記擬似雑音コード生成部は、Ｍａｘｉｍａｌコード、Ｎｏｎ−ｍａｘｉｍａｌコード、Ｇｏｌｄコード及びＫａｓａｍｉコード生成器のうちいずれかで具現されることを特徴とする請求項１に記載のプリアンブル生成装置。
【請求項４】
前記ラインコーダは、ＮＲＺ、ユニポーラＲＺ、バイフェーズレベル、バイフェーズマーク、バイフェーススペース及びディレイ・モジュレーション方式のうちいずれかに従ってラインコーディングを行うことを特徴とする請求項１に記載のプリアンブル生成装置。
【請求項５】
前記拡散コーダは、ウォルシュコーディング方式に従って拡散コーディングを行うことを特徴とする請求項１に記載のプリアンブル生成装置。
【請求項６】
前記ラインコーダと前記拡散コーダが１つに統合され、ラインコーディングと拡散コーディングを同時に行うように具現されることを特徴とする請求項１に記載のプリアンブル生成装置。
【請求項７】
前記擬似雑音コード生成部または前記ラインコーダの結果がＲＯＭテーブルで具現され、入力に対応する結果を出力するように具現されることを特徴とする請求項１に記載のプリアンブル生成装置。
【請求項８】
擬似雑音コードを生成する擬似雑音コード生成部と、
前記擬似雑音コード生成部から入力された前記擬似雑音コードに対する拡散コーディングを行う拡散コーダと、
前記拡散コーダから入力された拡散コーディングされた擬似雑音コードに対するラインコーディングを行うラインコーダと、を含むことを特徴とするプリアンブル生成装置。
【請求項９】
擬似雑音コードを生成するステップと、
前記生成された擬似雑音コードに対するラインコーディングを行うステップと、
前記ラインコーディングされた擬似雑音コードに対する拡散コーディングを行うステップと、を含むことを特徴とするプリアンブル生成方法。
【請求項１０】
前記擬似雑音コードを生成するステップは、予め設定された生成多項式に基づいて前記擬似雑音コードを生成することを特徴とする請求項９に記載のプリアンブル生成方法。
【請求項１１】
前記擬似雑音コードを生成するステップは、Ｍａｘｉｍａｌコード、Ｎｏｎ−ｍａｘｉｍａｌコード、Ｇｏｌｄコード及びＫａｓａｍｉコード生成器のうちいずれかによって擬似雑音コードを生成することを特徴とする請求項９に記載のプリアンブル生成方法。
【請求項１２】
前記ラインコーディングを行うステップは、ＮＲＺ、ユニポーラＲＺ、バイフェーズレベル、バイフェーズマーク、バイフェーススペース及びディレイ・モジュレーション方式のうちいずれかに従ってラインコーディングを行うことを特徴とする請求項９に記載のプリアンブル生成方法。
【請求項１３】
前記拡散コーディングを行うステップは、ウォルシュコーディング方式に従って拡散コーディングを行うことを特徴とする請求項９に記載のプリアンブル生成方法。
【請求項１４】
擬似雑音コードを生成するステップと、
前記生成された擬似雑音コードに対する拡散コーディングを行うステップと、
前記拡散コーディングされた擬似雑音コードに対するラインコーディングを行うステップと、を含むことを特徴とするプリアンブル生成方法。
【発明の詳細な説明】
【技術分野】
【０００１】
本発明は、デジタル直接伝送システムのためのプリアンブル生成装置及び方法に関し、より詳しくは、デジタル直接伝送システムの同期検出のために用いられるプリアンブルを、擬似雑音コード、ラインコーディング及び拡散コーディングの組合せで生成することによって、低周波雑音を解消するとともに、鋭い自己相関特性と低い相互相関特性を有するプリアンブルコードを生成して同期検出性能を向上させるための技術に関する。
【背景技術】
【０００２】
人体通信システムは、従来の有線または無線通信システムとは異なり、人体を介して情報を送る技術であって、人体チャンネルの特性を用いて、構造を単純化かつ電力の消耗を最小化するためにデジタル直接伝送方式を使用する。
【０００３】
このようなデジタル直接伝送方式システムによってデジタル信号を直接伝送する場合、低い信号対雑音比（Ｓｉｇｎａｌ  ｔｏ  Ｎｏｉｓｅ  Ｒａｔｉｏ；ＳＮＲ）の問題を解消するために主に拡散コードを用い、これによって所望のビット誤り率（Ｂｉｔ  Ｅｒｒｏｒ  Ｒａｔｅ；ＢＥＲ）を確保することができるようになる。
【０００４】
図１は、デジタル直接伝送システムのための従来のプリアンブル生成装置の構造図であり、従来のプリアンブル生成装置１００は、擬似雑音（Ｐｓｅｕｄｏ  Ｎｏｉｓｅ；ＰＮ）コード生成部１１０と拡散コーダ１２０で構成される。
【０００５】
デジタル直接伝送システムの同期検出のために用いられる擬似雑音コードは鋭い自己相関特性と低い相互相関特性を必要とする。しかし、従来のプリアンブル生成装置１００のようにＰＮコード生成部１１０により生成された擬似雑音コードを単純に拡散コーダ１２０によって拡散させると、鋭い自己相関特性と低い相互相関特性を得ることができず、所望の同期検出性能を得ることができなくなる。このように、同期検出の性能が落ちると、拡散により得られた利得は無駄になる。
【０００６】
従って、システム全体の性能を向上させるため、低周波雑音を解消するとともに、鋭い自己相関特性と低い相互相関特性を有するプリアンブルコードを生成するための技術が求められる実情である。
【先行技術文献】
【特許文献】
【０００７】
【特許文献１】韓国特許公開公報許2009-0062486号
【発明の概要】
【発明が解決しようとする課題】
【０００８】
本発明は上記のような従来技術の問題点を解決するためになされたもので、本発明の目的は、デジタル直接伝送システムの同期検出のために用いられるプリアンブルを、擬似雑音コード、ラインコーディング及び拡散コーディングの組合せで生成することによって、低周波雑音を解消するとともに、鋭い自己相関特性と低い相互相関特性を有するプリアンブルコードを生成して、同期検出性能を向上させることができるデジタル直接伝送システムのためのプリアンブル生成装置及び方法を提供することにある。
【課題を解決するための手段】
【０００９】
上記した目的を達成するための本発明の一側面によるデジタル直接伝送システムのためのプリアンブル生成装置は、擬似雑音コードを生成する擬似雑音コード生成部と、上記擬似雑音コード生成部から入力された上記擬似雑音コードに対するラインコーディングを行うラインコーダと、上記ラインコーダから入力されたラインコーディングされた擬似雑音コードに対する拡散コーディングを行う拡散コーダと、を含む。
【００１０】
上記した目的を達成するための本発明の他の側面によるデジタル直接伝送システムのためのプリアンブル生成方法は、擬似雑音コードを生成するステップと、上記生成された擬似雑音コードに対するラインコーディングを行うステップと、上記ラインコーディングされた擬似雑音コードに対する拡散コーディングを行うステップと、を含む。
【発明の効果】
【００１１】
本発明によると、擬似雑音コード、ラインコーディング及び拡散コーディングの組合せでプリアンブルを生成することによって、低周波雑音を解消するとともに、鋭い自己相関特性と低い相互相関特性を有するプリアンブルコードを生成することができ、これによってデジタル直接伝送システムの同期検出性能を向上させることができるようになる。
【図面の簡単な説明】
【００１２】
【図１】デジタル直接伝送システムのための従来のプリアンブル生成装置の構造図である。
【図２】本発明によるデジタル直接伝送システムのためのプリアンブル生成装置の構造図である。
【図３】本発明によるデジタル直接伝送システムのためのプリアンブル生成装置によってプリアンブルを生成する一実施例を示す図面である。
【図４ａ】本発明と従来技術によってそれぞれ生成されたプリアンブルによる同期検出性能を示すグラフである。
【図４ｂ】本発明と従来技術によってそれぞれ生成されたプリアンブルによる同期検出性能を示すグラフである。
【図４ｃ】本発明と従来技術によってそれぞれ生成されたプリアンブルによる同期検出性能を示すグラフである。
【発明を実施するための形態】
【００１３】
以下に、添付した図面を参照して本発明が属する技術分野において通常の知識を有する者が本発明を容易に実施することができる好ましい実施例を詳しく説明する。但し、本発明の好ましい実施例に対する動作原理を詳しく説明するに当たって、関連の公知機能または構成に対する具体的な説明が本発明の旨を不明確にする虞があると判断される場合は、その詳細な説明を省略する。また、図面全体にかけて類似した機能及び作用をする部分に対しては同一の図面符号を与える。
【００１４】
なお、明細書全般において、ある部分が他の部分と「連結されている」とするとき、これは「直接的に連結されている」場合のみならず、それらの間に他の素子を介して「間接的に連結されている」との場合も含む。また、ある構成要素を「含む」というのは、反対の意味を有する記載が特に無い限り、他の構成要素を除くものではなく、他の構成要素をさらに含むことができるということを意味する。
【００１５】
図２は、本発明によるデジタル直接伝送システムのためのプリアンブル生成装置の構造図である。本発明によるプリアンブル生成装置２００は、デジタル直接伝送システムにおける低いＳＮＲの問題を解消するために拡散コードを使用するとともに、同期検出のために求められる鋭い自己相関特性と低い相互相関特性を有するプリアンブルコードを生成するためにラインコーディング手法を使うことを特徴とする。
【００１６】
本発明によるプリアンブル生成装置２００は、擬似雑音コード生成部２１０と、ラインコーダ２２０と、拡散コーダ２３０とを含んで構成されることができ、これらの組合せによって、図２の（ａ）に示したようにＰＮコード生成部２１０、ラインコーダ２２０、拡散コーダ２３０の順に連結されてもよく、図２の（ｂ）に示したようにＰＮコード生成部２１０、拡散コーダ２３０、ラインコーダ２２０の順に連結されてもよい。
【００１７】
ＰＮコード生成部２１０は擬似雑音コードを生成するものであるが、既存のＭａｘｉｍａｌコード、Ｎｏｎ−ｍａｘｉｍａｌコード、Ｇｏｌｄコード及びＫａｓａｍｉコード生成器のうちいずれかで具現されることができる。Ｍａｘｉｍａｌコード、Ｎｏｎ−ｍａｘｉｍａｌコード、Ｇｏｌｄコード及びＫａｓａｍｉコードの生成は、当業者にとって通常周知の技術であるため、これに対する詳細な説明は省略する。
【００１８】
ラインコーダ２２０は、ＰＮコード生成部２１０により生成された擬似雑音コードの入力を受け、これに対するラインコーディングを行うものであるが、既存のＮＲＺ（ｎｏｎ−ｒｅｔｕｒｎ−ｔｏ−ｚｅｒｏ）、ユニポーラ（Ｕｎｉｐｏｌａｒ）ＲＺ、バイフェーズレベル（ Ｂｉ−Ｐｈａｓｅ−Ｌｅｖｅｌ）、バイフェーズマーク（Ｂｉ−Ｐｈａｓｅ−Ｍａｒｋ）、バイフェーススペース（Ｂｉ−Ｐｈａｓｅ−Ｓｐａｃｅ）及びディレイ・モジュレーション（Ｄｅｌａｙ  Ｍｏｄｕｌａｔｉｏｎ）方式のうちいずれかに従ってラインコーディングを行うことができる。上記のような様々な方式は、当業者にとって通常周知の技術であるため、これに対する詳細な説明は省略する。
【００１９】
拡散コーダ２３０は、ラインコーダ２２０によりラインコーディングされた擬似雑音コードの入力を受け、これに対する拡散コーディングを行うものであるが、例えば、ウォルシュ（Ｗａｌｓｈ）コーディング方式に従って拡散コーディングを行うことができる。
【００２０】
一方、図２の（ｂ）に示したようにラインコーダ２２０と拡散コーダ２３０の位置を互いに逆にして、拡散コーダ２３０がＰＮコード生成部２１０により生成された擬似雑音コードの入力を受けてこれに対する拡散コーディングを行い、ラインコーダ２２０が拡散コーダ２３０により拡散コーディングされた擬似雑音コードの入力を受けてこれに対するラインコーディングを行うように具現されてもよい。
【００２１】
また、図２にはラインコーダ２２０と拡散コーダ２３０を互いに分離して示したが、これらはそれぞれ線形演算を行うものであるため、ラインコーダ２２０と拡散コーダ２３０を統合し、１つの構成としてラインコーディング及び拡散コーディングを同時に行うように具現してもよい。さらに、ＰＮコード生成部２１０の結果やラインコーダ２２０の結果をＲＯＭテーブルで具現し、入力に応じてそれに該当する結果を出力するようにしてもよい。
【００２２】
図３は、本発明によるデジタル直接伝送システムのためのプリアンブル生成装置によってプリアンブルを生成する一実施例を示す図面であり、図２の（ａ）に示したように構成されたプリアンブル生成装置によってプリアンブルを生成する具体的な例を示す。
【００２３】
先ず、ＰＮコード生成部２１０は、例えば、生成多項式‘Ｐ（ｚ）＝ｚ７＋ｚ６＋１’を用いて擬似雑音コードを生成することができる。具体的には、ＰＮコード生成部２１０は、７個のシフトレジスタ２１１と１個のＸＯＲ演算器２１２で構成されて１２８ｂｉｔの擬似雑音コードを生成することができ、その結果を１６進数に変換すると、Ｐ（ｚ）＝“８１０６１４７９１６７５３Ｅ８７１２６Ｄ６Ｆ６３４ＢＢ９９５７Ｅ”となる。
【００２４】
その後、ラインコーダ２２０は、ＰＮコード生成部２１０により生成された擬似雑音コードに対し、様々なラインコーディング手法のうちバイフェーズレベル方式２２１に従ってラインコーディングを行うことができる。具体的には、ラインコーダ２２０はＰＮコード生成部２１０の出力の入力を受けて‘０’を“０１”に変換し、‘１’を“１０”に変換することでラインコーディングを行う。
【００２５】
その後、拡散コーダ２３０はラインコーダ２２０によりラインコーディングされた擬似雑音コードに対してウォルシュコーディング方式に従って拡散コーディングを行い、具体的には、ラインコーダ２２０の出力の入力を受けて‘０’を“０１０１”に変換し、‘１’を“１０１０”に変換することで拡散コーディングを行う。
【００２６】
一方、ラインコーダ２２０と拡散コーダ２３０を１つの構成として統合して具現する場合、ライン及び拡散コーダ（不図示）はＰＮコード生成部２１０の出力の入力を受けて‘０’を“０１０１１０１０”に変換し、‘１’を“１０１００１０１”に直に変換することによって擬似雑音コードに対するラインコーディング及び拡散コーディングを同時に行うことができる。
【００２７】
図４ａから図４ｃは、本発明と従来技術によってそれぞれ生成されたプリアンブルによる同期検出性能を示すグラフであって、１２８ＰＮｘ８Ｓｐｒｅａｄは従来のプリアンブル生成装置により生成されたプリアンブルを用いた場合を、１２８ＰＮｘＭＣｘ４Ｓｐｒｅａｄは本発明によるプリアンブル生成装置により生成されたプリアンブルを用いた場合を示す。
【００２８】
ここで、本発明によるプリアンブル生成装置は、図３に示した実施例に従ってプリアンブルを生成する。また、従来のプリアンブル生成装置は、図１に示したように本発明と同一の生成多項式を使用し、‘０’を“０１０１０１０１”に、‘１’を“１０１０１０１０”に変換して拡散コーディングを行う。
【００２９】
図４ａは、本発明と従来技術によってそれぞれ生成されたプリアンブルの自己相関特性を示す図面であり、図４ｂは図４ａの同期検出時間部分のみを拡大して示した図面である。図４ｂを通じて従来技術による最大相関距離が２６２であることに対し、本発明による最大相関距離は６４３であることが分かる。また、その結果、図４ｃに示したように、本発明によると、９９％の検出確率において略８ｄＢのＳＮＲマージンが確保されることが分かる。
【００３０】
本発明は、上述した実施形態及び添付された図面によって限定されるものではなく、本発明の技術的思想を外れない範囲内において様々な形態の置換、変形及び変更が可能であることは当技術分野において通常の知識を有する者には自明である。
【符号の説明】
【００３１】
２００  プリアンブル生成装置
２１０  ＰＮコード生成部
２２０  ラインコーダ
２３０  拡散コーダ
【図１】
2011061765.tif 000003
【図２】
2011061765.tif 000004
【図３】
2011061765.tif 000005
【図４ａ】
2011061765.tif 000006
【図４ｂ】
2011061765.tif 000007
【図４ｃ】
2011061765.tif 000008